(57)【要約】【課題】  光ディスクの交換時に、光ディスクの落下や記録面を傷つけるのを防止すると共に、使用者が容易に光ディスクを交換できるようにする。【解決手段】  被写体の映像信号を撮像する撮像手段と、この撮像手段が撮像した映像信号をディスク記録媒体に記録する記録手段と、この記録手段等によってディスク記録媒体に記録された映像信号を再生する再生手段とを備える記録再生装置であって、該記録再生装置の筐体表面もしくはアクセサリ表面に光ディスク記録媒体を保持する、光ディスク記録媒体保持部を有する。【選択図】        図４
2006313597.tif 000002
【特許請求の範囲】
【請求項１】
被写体の映像信号を撮像する撮像手段と、この撮像手段が撮像した映像信号をディスク記録媒体に記録する記録手段と、この記録手段等によってディスク記録媒体に記録された映像信号を再生する再生手段とを備える記録再生装置であって、該記録再生装置の筐体表面もしくはアクセサリ表面に光ディスク記録媒体を保持する、光ディスク記録媒体保持部を有することを特徴とする記録再生装置。
【請求項２】
前記光ディスク記録媒体保持部は、前記記録再生装置の筐体の、前記ディスク記録媒体の収納部の蓋上に設置されていることを特徴とする請求項１に記載の記録再生装置。
【請求項３】
前記光ディスク記録媒体保持部は、前記記録再生装置の筐体の、上側面に設置されていることを特徴とする請求項１に記載の記録再生装置。
【請求項４】
前記光ディスク記録媒体保持部は、前記記録再生装置のレンズキャップ表面に設置されていることを特徴とする請求項１に記載の記録再生装置。
【請求項５】
前記光ディスク記録媒体保持部は、前記光ディスク記録媒体の内径に収まるチャッキング装置であることを特徴とする請求項１に記載の記録再生装置。
【請求項６】
前記光ディスク記録媒体保持部は、前記光ディスク記録媒体の記録面保護のための突出部を備えることを特徴とする請求項５に記載の記録再生装置。
【請求項７】
前記光ディスク記録媒体保持部は、前記光ディスク記録媒体の内径を引っ掛ける突起物であることを特徴とする請求項１に記載の記録再生装置。
【請求項８】
前記光ディスク記録媒体は、ディスクカートリッジに収納されておらず、記録面が剥き出しであることを特徴とする請求項１に記載の記録再生装置。
【発明の詳細な説明】
【技術分野】
【０００１】
本発明は記録装置に関し、特に静止画あるいは動画などの映像情報を媒体に記録、および再生するための記録再生装置に関する。
【背景技術】
【０００２】
近年、記憶媒体にディスク媒体を用いたビデオカメラが製品化され始めた。ディスク媒体を使用したビデオカメラは、小型で持ち運びも容易であり、今後ますます普及していくと思われる。このような機器では、記録時にはＭＰＥＧのような圧縮符号化されたビデオストリームで記録媒体に映像を保存する。従来のディスクビデオカメラ装置の全体図を、図６、図７を用いて説明する。
【０００３】
図６は、従来のディスクビデオカメラの前方斜視図であり、図７は後方斜視図である。
【０００４】
まず、１１はレンズであり、ここから被写体の映像信号が入力される。１２は液晶ディスプレイ、１３は光ディスク記録媒体収納部であり、該光ディスク記録媒体収納部１３の蓋１５を閉じて光ディスク記録媒体を収納する。記録時には、該レンズ１１で撮像された画像信号は符号化され、該光ディスク記録媒体に記録される。再生時には、該光ディスク記録媒体に記録された画像信号は、液晶ディスプレイ１２上に表示されたり、外部に出力されたりする。
【０００５】
該光ディスク記録媒体を取り替える場合は、まずＯＰＥＮボタン１４を押すことで該光ディスク収納部の蓋１５を開く。次に、記録済み該光ディスク記録媒体を該光ディスク収納部１３より取り出し、取り出した記録済み該光ディスク記録媒体を持ったまま、予備光ディスク記録媒体をケースから取り出して、該光ディスク収納部１３へとセットし、該光ディスク収納部の蓋１５を閉じる。そして、最後に手に保持している該記録済み光ディスク記録媒体をケースへと保管する。
【０００６】
次に、図８は従来の光ディスク記録媒体の交換作業のフローを示す図である。
【０００７】
図８を用いて、該光ディスク記録媒体を取り替える場合について、詳しく説明する。
【０００８】
まず、Ｓ８１ではディスク収納部の蓋１５を開けるには、右手をカムコーダから離さなくてはならないので、左手でカムコーダを支える。Ｓ８２ではＯＰＥＮボタン１４を押してディスク収納部の蓋１５を開ける。Ｓ８３では予備の光ディスク記録媒体の入ったケースを空いている右手で取り出す。Ｓ８４ではＳ８３で取り出したケースを右手で開け、予備の光ディスク記録媒体を取り出す。Ｓ８５ではＳ８４で取り出した予備の光ディスク記録媒体を持ちつつ、右手で該光ディスク収納部１３から記録済み光ディスク記録媒体を取り出す。しかし、右手で予備の光ディスク記録媒体を持ったままでは該光ディスク収納部１３から記録済み光ディスク記録媒体を取り出すのは困難なので、左右どちらかの指に予備の光ディスク記録媒体を引っ掛け、右手で該光ディスク収納部１３から記録済み光ディスク記録媒体を取り出す。Ｓ８６ではＳ８５で取り出した記録済み光ディスク記録媒体をケースへしまう。Ｓ８７ではＳ８５で指に引っ掛けた予備の光ディスク記録媒体を該光ディスク収納部へとセットする。Ｓ８８ではディスク収納部の蓋１５を閉め、光ディスク記録媒体の交換作業が終了となる。
【０００９】
このような形態で用いられる光ディスクビデオカメラ装置は、従来より用いられているテープを媒体にしたビデオカメラ装置と比較した場合、１本の媒体に記録できる時間が短いという傾向がある。そのため、使用者は頻繁に予備の記録媒体の交換を行う必要がある。
【００１０】
また、カートリッジに入っておらず、記録面が剥き出しになっている光ディスク記録媒体を用いた光ディスクビデオカメラ装置も登場しており、このような場合、記録面を傷つけないように丁寧に光ディスク記録媒体を扱う必要がある。しかし、上記図８のフローチャートを用いた光ディスク記録媒体を取り替える場合のように、記録媒体の交換時に、片手で光ディスクビデオカメラ装置を保持し、もう一方の手で記録済みの光ディスク記録媒体を取り出しつつ、予備の記録媒体を光ディスクビデオカメラ装置に挿入する場合が多く見られ、特にＳ８４からＳ８６までの動作中に、光ディスク記録媒体を誤って落下させてしまったり、大切な映像が記録されている記録済み光ディスク媒体の記録面を傷つけてしまう可能性があった。
【００１１】
この解決策として、予備の記録媒体を収納する収納手段を光ディスクビデオカメラ装置に備えるという考え方もあるが、予備の記録媒体の収納スペース分、筐体が大きくなってしまうので、小型化が求められる民生用の光ディスクビデオカメラ装置には適していない（例えば、特許文献１参照）。
【特許文献１】特開２０００−２３０００号公報
【発明の開示】
【発明が解決しようとする課題】
【００１２】
上記従来技術の構成では、前記光ディスク記録媒体の交換時に、使用者の殆どが片手で光ディスクビデオカメラ装置を保持し、もう一方の手で記録済みの光ディスク記録媒体を取り出しつつ、予備の記録媒体を光ディスクビデオカメラ装置に挿入しており、使用者は誤って光ディスク記録媒体を地面に落下させてしまったり、記録面を傷つけてしまう可能性があった。
【００１３】
本発明は、以上の点に着目して成されたもので、光ディスク記録媒体の交換時に、該光ディスク記録媒体の落下や記録面を傷つけるのを防止すると共に、使用者が容易に該光ディスク記録媒体を交換できる記録再生装置を提供することを目的とする。
【課題を解決するための手段】
【００１４】
前記課題を解決するために、本発明の記録再生装置は、
被写体の映像信号を撮像する撮像手段と、この撮像手段が撮像した映像信号をディスク記録媒体に記録する記録手段と、この記録手段等によってディスク記録媒体に記録された映像信号を再生する再生手段とを備える記録再生装置であって、該記録再生装置の筐体表面もしくはアクセサリ表面に記録済み光ディスク記録媒体を保持する、光ディスク記録媒体保持部を有する構成とした。
【発明の効果】
【００１５】
本発明の記録再生装置によれば、前記光ディスク記録媒体の交換時に、該光ディスク記録媒体の落下や記録面を傷つけるのを防止すると共に、使用者が容易に該光ディスク記録媒体を交換できる装置を提供することができる。
【発明を実施するための最良の形態】
【００１６】
以下本発明を実施するための最良の形態を、実施例により詳しく説明する。
【実施例１】
【００１７】
図１は、本発明における記録再生装置の筐体構造の後方斜視図である。前方斜視図は従来と同様の図６を用いる。
【００１８】
まず、１１はレンズであり、ここから被写体の映像信号が入力される。１２は液晶ディスプレイ、１３は光ディスク記録媒体収納部であり、該光ディスク記録媒体収納部１３の蓋１５を閉じて光ディスク記録媒体を収納する。記録時には、該レンズ１１で撮像された画像信号は符号化され、該光ディスク記録媒体に記録される。再生時には、該光ディスク記録媒体に記録された画像信号は、液晶ディスプレイ１２上に表示されたり、外部に出力されたりする。１６は光ディスク記録媒体保持部である。該光ディスク保持部１６は、チャンキング装置であり、該光ディスク記録媒体をはめ込むことができ、はめ込まれた該光ディスク記録媒体は、該ディスクビデオカメラから落下することなく、光ディスク保持部１６にて保持される。
【００１９】
該光ディスク記録媒体を取り替える場合は、ＯＰＥＮボタン１４を押すことで該光ディスク収納部の蓋１５が開く。次に、記録済み該光ディスク記録媒体を該光ディスク収納部１３より取り出し、図４に示すように該光ディスク保持部１６にはめ込む。そして、予備光ディスク記録媒体をケースから取り出し、該光ディスク収納部１３へとセットし、該光ディスク収納部の蓋１５を閉じる。そして、最後に該光ディスク保持部１６にて保持している該光ディスク記録媒体を保持部から外し、ケースへと保管する。
【００２０】
該光ディスク保持部は図２、および図３にその構造例を示している。
【００２１】
図２は、本発明における記録再生装置の筐体表面にある光ディスク保持部１６の側面図である。
【００２２】
図２において、まず２１は光ディスク記録媒体Ｄのセンターホールと同径でリング状の保持部であり、光ディスク記録媒体を取り外す際には、上から押すことで保持部２１を内側に撓ませて取り外す。２２は光ディスク記録媒体Ｄのセンターホール周辺の内周面Ｄ０を支えるリング状の突出部であり、光ディスク記録媒体Ｄの記録面Ｄ１がディスクビデオカメラの筐体表面２３に触れないようにしている。
【００２３】
図３は本発明における記録再生装置の筐体表面にある光ディスク保持部１６の平面図である。
【００２４】
図３において、２１は上記光ディスク記録媒体Ｄのセンターホールと同径でリング状の保持部である。２２は上記光ディスク記録媒体Ｄのセンターホール周辺の内周面Ｄ０を支えるリング状の突出部である。
【００２５】
次に、図５は本発明の実施形態における光ディスク記録媒体の交換作業のフローを示す図である。
【００２６】
図５を用いて、該光ディスク記録媒体を取り替える場合について、詳しく説明する。
【００２７】
まず、Ｓ５１ではディスク収納部の蓋１５を開けるには、右手をカムコーダから離さなくてはならないので、左手でカムコーダを支える。Ｓ５２ではＯＰＥＮボタン１４を押してディスク収納部の蓋１５を開ける。Ｓ５３では右手で光ディスク収納部１３から記録済み光ディスク記録媒体を取り出す。Ｓ５４ではＳ５３で取り出した記録済み光ディスク記録媒体を光ディスク保持部１６にはめ込む。
【００２８】
Ｓ５５では予備の光ディスク記録媒体の入ったケースを空いている右手で取り出す。Ｓ５６ではＳ５５で取り出したケースを右手で開け、予備の光ディスク記録媒体を取り出す。
【００２９】
Ｓ５７ではＳ５６で取り出した予備の光ディスク記録媒体を該光ディスク収納部へとセットする。Ｓ５８ではＳ５４で光ディスク保持部１６へと保持した記録済み光ディスク記録媒体をケースへしまう。Ｓ５９ではディスク収納部の蓋１５を閉め、光ディスク記録媒体の交換作業が終了となる。
【００３０】
上記の光ディスク記録媒体の交換作業では、記録済み光ディスク記録媒体を光ディスク収納部１３から取り出しＳ５４で光ディスク保持部１６へとはめ込むことで、従来例Ｓ８５のように記録済み光ディスク記録媒体を不安定な状態にしたまま作業をすることがないので、落下や傷を防止することができる。また、光ディスク記録媒体交換作業中に記録済み光ディスク記録媒体が光ディスク保持部１６へと収まっていることで、従来例Ｓ８５のように同時に２枚の光ディスク記録媒体を持つことがなくなるので、使用者は従来と比較してより容易に交換することができる。
【００３１】
以上に述べたような筐体構造を採ることで、記録済み該光ディスク記録媒体から予備の該光ディスク記録媒体への交換時に、記録済み該光ディスク記録媒体を該該光ディスク記録媒体保持部１６にて保持しているため、使用者が誤って該光ディスク記録媒体を落下させてしまうといったことを回避することができ、同時に記録済み該光ディスク記録媒体を持ちつつ、予備該光ディスク記録媒体を準備するといったことなく交換できるので、使用者は容易に該光ディスク記録媒体の交換が可能となる。
【００３２】
本実施例では本発明における再生装置は光ディスク収納部の蓋１５の表面に光ディスク保持部１６を有するが、再生装置の上側面、およびアクセサリ表面に光ディスク保持部を有する再生装置も本発明の範疇である。
【００３３】
また、該光ディスク記録媒体を取り替える場合について、本実施例では記録済み光ディスク記録媒体をＳ５４にて光ディスク保持部１６へと保持したが、予備の光ディスクを先に取り出し、光ディスク保持部１６へと保持してから、記録済み光ディスク記録媒体を光ディスク収納部１３から取り出す交換作業も本発明の範疇である。
【００３４】
［他の実施形態］
また、本発明は、複数の機器（例えばホストコンピュータ、カメラ、インタフェイス機器、液晶パネルなど）から構成されるシステムに適用しても、一つの機器からなる装置に適用してもよい。
【図面の簡単な説明】
【００３５】
【図１】本発明の実施形態における撮像装置の後方斜視図である。
【図２】本発明の実施形態における光ディスク保持部の側面図である。
【図３】本発明の実施形態における光ディスク保持部の平面図である。
【図４】本発明の実施形態における光ディスク記録媒体の交換作業の際の、撮像装置の概観図である。
【図５】本発明の実施形態における光ディスク記録媒体の交換作業のフローを示す図である。
【図６】従来の撮像装置の前方斜視図である
【図７】従来の撮像装置の後方斜視図である。
【図８】従来の光ディスク記録媒体の交換作業のフローを示す図である。
【符号の説明】
【００３６】
１１  レンズ
１２  液晶ディスプレイ
１３  光ディスク記録媒体収納部
１４  ＯＰＥＮボタン
１５  蓋
１６  光ディスク記録媒体保持部
【図１】
2006313597.tif 000003
【図２】
2006313597.tif 000004
【図３】
2006313597.tif 000005
【図４】
2006313597.tif 000006
【図５】
2006313597.tif 000007
【図６】
2006313597.tif 000008
【図７】
2006313597.tif 000009
【図８】
2006313597.tif 000010